(57)【特許請求の範囲】
【請求項１】
ガスタービンユニット（１）を備えた発電プラントの運転方法であって、前記ガスタービンユニット（１）の煙道ガス（８）がダイバータ（１１）に送給され、前記ダイバータ（１１）において、前記煙道ガス（８）が再循環流（１２）と排出流れ（１３）とに分割され、前記再循環流（１２）は、前記ガスタービンユニット（１）に送給される混合気体（６）を形成するために外気（７）と共に混合器（１６）に送給され、前記ガスタービンユニット（１）は、燃料（２７）が前記混合気体（６）と共に燃焼される少なくとも１つの燃焼室（３、３ａ、３ｂ）を備える発電プラントの運転方法において、前記再循環流（１２）の質量流量を、前記燃料（２７）の測定されたＣ２＋含有量に基づいてオンライン制御し、前記Ｃ２＋含有量が増加すると前記再循環流（１２）の質量流量を増加させ、前記Ｃ２＋含有量が減少すると前記再循環流（１２）の質量流量を低減させることを特徴とする方法。
【請求項２】
前記燃料（２７）のＣ２＋含有量またはＣ２＋およびＨ２含有量が連続的にオンライン測定され、それに対応して、前記再循環流（１２）の質量流量が連続的にオンライン制御される、ことを特徴とする請求項１に記載の方法。
【請求項３】
前記再循環流（１２）の質量流量が、前記燃料（２７）のＣ２＋含有量またはＣ２＋およびＨ２含有量が増加すると増加され、前記燃料（２７）のＣ２＋含有量またはＣ２＋およびＨ２含有量が低下すると低減される、ことを特徴とする請求項１または２に記載の方法。
【請求項４】
前記再循環流（１２）の質量流量と共に、前記燃焼室出口における煙道ガス温度も制御される、ことを特徴とする請求項１に記載の方法。
【請求項５】
前記燃焼室出口における温度が増加されるか、または一定に維持される、ことを特徴とする請求項４に記載の方法。
【請求項６】
前記ガスタービンユニット（１）が、第１燃焼室（３ａ）と、その下流側において、高圧タービン（４ａ）と、前記高圧タービン（４ａ）において部分的に膨張した煙道ガスが送給される第２燃焼室（３ｂ）と、前記第２燃焼室（３ｂ）において生成される煙道ガスが送給される低圧タービン（４ｂ）とを備え、さらに、前記再循環流（１２）の質量流量が、前記第２燃焼室（３ｂ）に供給される燃料の測定されたＣ２＋含有量またはＣ２＋およびＨ２含有量に基づいて制御される、ことを特徴とする請求項１に記載の方法。
【請求項７】
前記煙道ガス（８）が前記ダイバータ（１１）によって分割される前に、前記煙道ガス（８）が、蒸気タービンユニット（１０）の再熱ボイラ（９）に供給される、ことを特徴とする請求項１に記載の方法。
【請求項８】
前記排出流れ（１３）がＣＯ２捕捉ユニット（２１）に送給される、ことを特徴とする請求項１に記載の方法。
【請求項９】
前記燃料（２７）が天然ガスである、ことを特徴とする請求項１に記載の方法。
【請求項１０】
ガスタービンユニット（１）を備えた発電プラントであって、前記ガスタービンユニット（１）の煙道ガス（８）がダイバータ（１１）に送給され、前記ダイバータ（１１）において、前記煙道ガス（８）が再循環流（１２）と排出流れ（１３）とに分割され、前記再循環流（１２）は、前記ガスタービンユニット（１）に送給される混合気体（６）を形成するために外気（７）と共に混合器（１６）に送給され、前記ガスタービンユニット（１）は、燃料（２７）が前記混合気体（６）と共に燃焼される少なくとも１つの燃焼室（３、３ａ、３ｂ）を備えている発電プラントにおいて、前記燃料のＣ２＋および／またはＨ２含有量に関する情報が供給される制御ユニット（３０）であって、前記ダイバータ（１１）を駆動するため、および、前記再循環流（１２）の質量流量を、前記燃料（２７）の測定されたＣ２＋含有量に基づいてオンライン制御し、前記Ｃ２＋含有量が増加すると前記再循環流（１２）の質量流量を増加させ、前記Ｃ２＋含有量が減少すると前記再循環流（１２）の質量流量を低減させるために、少なくとも前記ダイバータ（１１）に接続される制御ユニット（３０）を備える、ことを特徴とする発電プラント。
【請求項１１】
前記燃料（２７）のＣ２＋含有量またはＣ２＋およびＨ２含有量を連続的にオンライン測定するためのセンサー（３１）が設けられて前記制御ユニット（３０）に接続され、それに対応して、前記制御ユニット（３０）が、前記再循環流（１２）の質量流量を連続的にオンライン制御する、ことを特徴とする請求項１０に記載の発電プラント。
【請求項１２】
前記制御ユニット（３０）が、前記燃料のＣ２＋含有量またはＣ２＋およびＨ２含有量（ＦＣＣ）を前記煙道ガスの再循環比（ＦＧＲ）に関連付けるルックアップテーブル（３３）を実行するコンピュータを備える、ことを特徴とする請求項１０に記載の発電プラント。
【請求項１３】
前記ガスタービンユニット（１）が、第１燃焼室（３ａ）と、その下流側において、高圧タービン（４ａ）と、その高圧タービン（４ａ）において部分的に膨張した煙道ガスが送給される第２燃焼室（３ｂ）と、前記第２燃焼室（３ｂ）において生成される煙道ガスが送給される低圧タービン（４ｂ）とを備え、前記制御ユニット（３０）が、前記再循環流（１２）の質量流量を、前記第２燃焼室（３ｂ）に供給される前記燃料（２７）の測定されたＣ２＋含有量またはＣ２＋およびＨ２含有量に基づいて制御する、ことを特徴とする請求項１０に記載の発電プラント。
【請求項１４】
前記ガスタービンユニット（１）から排出される煙道ガスが、蒸気タービンユニット（１０）の再熱ボイラ（９）に供給される、ことを特徴とする請求項１０に記載の発電プラント。
【請求項１５】
前記排出流れ（１３）がＣＯ２捕捉ユニット（２１）に供給される、ことを特徴とする請求項１０に記載の発電プラント。
【発明の詳細な説明】
【技術分野】
【０００１】
本発明は発電プラントおよびその運転方法に関する。
【背景技術】
【０００２】
特許文献１（図１）は、コンプレッサ２と、燃焼室３と、タービン４とを備えたガスタービンユニット１を有する発電プラントを開示している。
【０００３】
環境から流入する外気７を含む混合気体（ｍｉｘｔｕｒｅ）６がコンプレッサ２に送給され、（燃焼室３内部の燃料との混合気体６の燃焼に由来する）煙道ガス（flue gas）８がタービン４から排出される。
【０００４】
（通常高温の）この煙道ガス８は、蒸気タービンユニット１０の再熱ボイラ９に送給され、このボイラ９内において、煙道ガス８は、熱を蒸気ユニット１０の水に伝達する。
【０００５】
煙道ガス８は、ボイラ９から、再循環流（ｒｅｃｉｒｃｕｌａｔｅｄ  ｆｌｏｗ）１２および排気流（ｄｉｓｃｈａｒｇｅｄ  ｆｌｏｗ）１３に分割されるべくダイバータ１１に供給される。
【０００６】
再循環流１２は、冷却器１４において冷却され、外気７と混合され、コンプレッサ２に送給される混合気体６を形成するために、ファン１５を介して混合器１６に供給される。
【０００７】
排気流１３は、冷却器１９において冷却され、続いて、後に２２から大気に放出されるべくファン２０を介してＣＯ２捕捉ユニット２１に送給される。一方、ＣＯ２捕捉ユニット２１において捕捉されるＣＯ２は２４内に貯蔵される。
【０００８】
運転中、一方では、再循環流１２を大きくすることが有利である。なぜなら再循環流１２を大きくすることによって、排気流１３が低減しかつ排気流のＣＯ２濃度が増加するので、プラントおよび運転のコストが低下する（特にＣＯ２捕捉ユニット２１に関して）からである。しかし、他方では、再循環流１２は小さい方が有利である。なぜなら再循環流１２を小さくすることによって、燃焼室３内の酸素含有濃度が増加し、燃焼が改善されるからである。
【０００９】
従って、再循環流の量は、これらの対立する必要性をバランスさせる最適化プロセスによって決定される。
【００１０】
ガスタービンユニット１の燃焼室３は、燃焼装置２６に結合される複数の混合装置２５を有することで知られる。
【００１１】
燃料２７は、それが煙道ガス／外気混合気体６と混合されて燃焼するように、混合装置２５の中に噴射される。
【００１２】
燃焼室３（すなわち、その混合装置２５および燃焼装置２６）は、設計運転条件（例えば、再循環流の質量流量、燃料組成、温度を含む）において、設計燃料（ｄｅｓｉｇｎ  
ｆｕｅｌ）が混合装置２５から出て燃焼装置２６に流入した時にのみ、設計燃料が燃焼するように設計されねばならないことは明らかである。なぜなら、混合装置２５内での燃焼（いわゆる逆火）は燃焼室の寿命にとって非常に悪影響を与えるからである。
【００１３】
この理由から、燃焼室３が、所与の条件において、所与の燃料で運転されるように設計される場合、燃料の変更は不可能であるか、あるいは、燃料を変更するには、運転条件を変更し実際に使用中の燃料の特性に適合させることが必要になる可能性がある。
【００１４】
通常、燃焼室は、所与の特性を有する気体燃料（通常、「標準」天然ガス、すなわち所与の組成の天然ガス）によって運転するように設計される。
【００１５】
それにも拘らず、運転中に、設計特性を有する燃料から別の特性を有する別の燃料に切り換えることが必要になる場合がよくある。
【００１６】
これらの燃料の１つが高いもしくは非常に高い反応性を有する場合は、その燃料は、混合装置の中に噴射されるとすぐに（すなわちその燃料が燃焼装置に流入する前に）燃焼し始める可能性があり、これは逆火を引き起こす。
【００１７】
例えば、天然ガスは、メタン（ＣＨ４）、エタン（Ｃ２Ｈ６）、プロパン（Ｃ３Ｈ８）、ブタン（Ｃ４Ｈ１０）など、そして場合によってはＨ２も含有する気体混合物である。
【００１８】
エタン（Ｃ２Ｈ６）＋プロパン（Ｃ３Ｈ８）＋ブタン（Ｃ４Ｈ１０）などの含有量が（通常モル分率の）Ｃ２＋を規定する。換言すれば、Ｃ２＋含有量は、燃料（気体燃料）における高アルカン種のモル分率である。
【００１９】
天然ガスの組成が変化すると（例えば、Ｃ２＋および／またはＨ２の量が標準の天然ガスに比べて増加すると）、その反応性が変化して非常に増大する可能性がある。
【００２０】
この場合、標準天然ガスから高反応性のガスに切り換える際に単に燃料を変更すると、新しい燃料が、燃焼装置２６ではなく混合装置２５内で燃焼し始めるであろう（逆火）。
【００２１】
これを防止するため、慣習的に、燃焼室３を低温で（すなわち火炎温度を下げて）運転している。これは、燃料が、正しく混合され、混合装置２５全体を通過して、燃焼開始前に燃焼装置２６に流入し得る値まで、反応性（多くの因子および温度によって変化する）を低下させるためである。
【００２２】
さらに、燃料切り換えが予期されない場合でも、場合によっては、使用中の燃料の特性が運転中に変化することがあり得る。例えば、天然ガスを使用する場合、そのＣ２＋および／またはＨ２含有量（従ってその反応性）が運転中に変化する可能性がある。
【００２３】
この場合にも、正しい運転を可能にし、かつ混合装置内部での燃料燃焼（逆火）を避けるために、慣習的に、燃焼室を設計温度よりも低温で運転して、逆火からの安全上の余裕を確保する。
【００２４】
しかし、いずれにせよ、燃焼温度を低下させたこのような運転は、出力の損失と、性能および効率の低下とを不可避的にもたらすことは明らかである。
【００２５】
さらに、特にＨ２含有量が高い場合は、燃料が（場合によって５０％以上まで）希釈される。このように燃料が大幅に希釈されると、実際の処理流量が設計流量より遥かに大きくなるので、燃料供給系統（特に噴射器およびポンプ）に問題を生じる可能性がある。
【先行技術文献】
【特許文献】
【００２６】
【特許文献１】国際公開第２０１０／０７２７１０号パンフレット
【発明の概要】
【発明が解決しようとする課題】
【００２７】
従って、本発明の技術的な目的は、既知の技術の上記の問題点に対処する発電プラントおよび方法を提供することを含む。
【課題を解決するための手段】
【００２８】
この技術的な目的の範囲内において、本発明の一態様は、基準燃料のそれとは異なるＣ２＋および／またはＨ２含有量（従って、基準の反応性よりも高い反応性）を有する燃料を用いる燃焼室の運転を、燃焼室の温度を低下させる必要なしに、あるいは、プラントの出力および効率に悪影響を与えるこのような低下の必要性を抑えた状態において、可能にする発電プラントおよび方法を提供することである。
【００２９】
本発明の別の態様は、特にＨ２リッチの燃料の場合に、低希釈、もしくは全く希釈なしの燃料を用いる燃焼室の運転を可能にする発電プラントおよび方法を提供する。
【００３０】
この技術的な目的は、これらの態様および他の態様と共に、添付の請求項による発電プラントを提供することによって、本発明に従って実現される。
【００３１】
本発明のさらなる特徴および利点は、添付の図面における非限定的な例によって表現される発電プラントおよび方法の好ましいが排他的でない実施形態に関する説明から明らかになるであろう。
【図面の簡単な説明】
【００３２】
【図１】従来の発電プラントの概略図である。
【図２】燃焼室の概略図である。
【図３】本発明の一実施形態の発電プラントの概略図である。
【図４】本発明の別の実施形態の発電プラントの概略図である。
【図５】ルックアップテーブルを示す。
【発明を実施するための形態】
【００３３】
図を参照すると、これらの図は、反応性の違いの原因となる、異なるＣ２＋および／またはＨ２含有量のような異なる特性を有する燃料で運転するのに特に適した発電プラントを示している。さらに、その燃料の特性とＣ２＋および／またはＨ２含有量（従って反応性）とは、運転中にも（すなわち発電プラントの停止なしでも）変化する可能性がある。明確さのため、複数の図面すべてを通して、同じ参照符号は、同一または対応する部分を示す。
【００３４】
発電プラントはガスタービンユニット１を備えており、その煙道ガス８は、蒸気タービンユニット１０の再熱ボイラ９に好ましくは供給され、続いて、ダイバータ１１に送給され、そこで、煙道ガス８は再循環流１２と排出流れ１３とに分割される。
【００３５】
再循環流１２は、冷却器１４およびファン１５を通過し、続いて外気７と共に混合器１６に流入して、ガスタービンユニット１に送給される混合気体６を形成する。
【００３６】
排出流れ１３は、冷却器１９およびファン２０を介してＣＯ２捕捉ユニット２１に供給され、続いて２２から環境に排出される。ＣＯ２捕捉ユニット２１に捕集されるＣＯ２はその後２４内に貯蔵される。
【００３７】
周知のように、ガスタービンユニット１（図３）は、コンプレッサ２と、燃焼室３と、タービン４とを備えている。コンプレッサ２においては、混合気体６が圧縮されるように送給され、燃焼室３においては、圧縮された混合気体６の中に燃料２７（例えば天然ガス）が供給されて燃焼され、タービン４においては、燃焼室３内で発生した煙道ガスが膨張して、例えば発電機２８を作動させるために機械的出力が集められる。
【００３８】
さらに、ガスタービンユニット１は、燃料のＣ２＋および／またはＨ２含有量に関連した情報が供給され、ならびにダイバータ１１を駆動し、かつ燃料のＣ２＋および／またはＨ２含有量に関する再循環流１２の質量流量をオンライン制御するためにダイバータ１１に接続している制御ユニット３０を備えている。
【００３９】
別の実施形態（図４）では、発電プラントが、コンプレッサ２と、第１燃焼室３ａと、その下流側において、高圧タービン４ａと、第２燃焼室３ｂと、低圧タービン４ｂとを備えたガスタービンユニット１を有する。第２燃焼室３ｂには、高圧タービン４ａにおいて部分的に膨張した煙道ガスが送給され、低圧タービン４ｂには、第２燃焼室３ｂにおいて生成される煙道ガスが送給される。
【００４０】
この実施形態においては、第１および第２燃焼室３ａ、３ｂに同じ燃料が供給される場合は、制御ユニット３０は、再循環流１２の質量流量を、この燃料のＣ２＋および／またはＨ２含有量に関連させて制御する。
【００４１】
燃焼室３ａ、３ｂへの送給燃料が異なる場合には、制御ユニット３０は、第１または第２燃焼室３ａ、３ｂのいずれかに供給される燃料のＣ２＋および／またはＨ２含有量を、再循環流１２の質量流量を制御するための基準として用いることができる。一般的には、両方の燃料のＣ２＋および／またはＨ２含有量（従って反応性）を監視しなければならない。
【００４２】
第１実施形態においては、特定の燃料の使用を開始する時に、燃料のＣ２＋および／またはＨ２含有量に関する情報を、制御ユニット３０に供給することができる。これは、燃料の組成が一定である、あるいは実質的に一定である場合に特に有用である。
【００４３】
別の、好ましい実施形態においては、燃料のＣ２＋および／またはＨ２含有量を連続的にオンライン測定するセンサー３１（これは、例えばクロマトグラフィーによって実現することができる）が設けられる。これらのセンサー３１は、再循環流１２の質量流量を連続的にオンライン測定する制御ユニット３０に接続される。
【００４４】
この点に関して、制御ユニット３０は、ルックアップテーブル３３（図５）を実行するコンピュータを有利に備えることができる。このルックアップテーブル３３は、燃料のＣ２＋および／またはＨ２含有量ＦＣＣを、煙道ガス再循環比ＦＧＲ（煙道ガス再循環比は、通常冷却器１４（ここで水が凝縮し得る）の下流側の再循環流１２と、ガスタービンユニット出口における煙道ガス８との比である）に関連付けるものである。
【００４５】
特に、図５のルックアップテーブル３３は、燃焼室出口における異なる温度に対するＦＧＲ（煙道ガス再循環比）とＦＣＣ（燃料のＣ２＋含有量）との間の関係を規定する。すなわち、値Ａ．．．は、所与のＦＣＣおよびＦＧＲに対する運転温度（絶対値、あるいは、燃焼室が基準燃料で作動する場合の温度に対する差分値のいずれかとして）を指示する。従って、例えば、Ｃ２＋含有量が１０〜１５モル％の燃料を使用する場合には、ガスタービンユニットを、実際のＦＧＲに応じて、ＣまたはＨまたはＭまたはＲまたはＷまたはＡＢの燃焼室温度で運転可能である。Ｈ２含有量が監視される場合、あるいは、Ｃ２＋およびＨ２含有量が同時に監視される場合にも、同様のルックアップテーブルを用意することができる。
【００４６】
発電プラントの運転は、以上記述しかつ例示したところから明らかであり、ほぼ以下のとおりである（以下図３を参照する。図４の発電プラントの運転は明らかであるので、詳細には記述しない）。
【００４７】
混合気体６は、ガスタービンコンプレッサ２に供給され、燃焼室３内で燃料と混合されて燃焼され、続いて、煙道ガスがタービン４内で膨張する。
【００４８】
センサー３１が、燃料（通常天然ガス）のＣ２＋および／またはＨ２含有量を連続的に測定し、この情報を制御ユニット３０に提供する。制御ユニット３０は、この情報に基づいて、その特定のＣ２＋および／またはＨ２含有量を有する特定の燃料に対する正しいＦＧＲを（例えばルックアップテーブル３３を利用して）決定し、それによってダイバータ１１を駆動する。
【００４９】
反応性は、例えば、燃料の温度および組成（すなわち燃料のＣ２＋および／またはＨ２含有量）、酸素濃度などのような多くの異なる因子によって左右されるので、燃料のＣ２＋および／またはＨ２含有量に基づいてＦＧＲを制御する（すなわち、ＦＧＲが高くなる程、混合気体６におけるＣＯ２が多くなりＯ２が少なくなるので、混合気体６における酸素含有量を制御する）と、Ｃ２＋および／またはＨ２含有量が高いあるいは非常に高い時でも、あらゆる逆火のリスクを避けるために、燃料の反応性をも制御しかつ設定することが可能になる。
【００５０】
さらに、逆火のリスクが低減されるので、希釈（特にＨ２含有量が高い場合）を低減すること、あるいは回避することも可能になる。
【００５１】
異なる運転モードが可能である。
【００５２】
第１運転モードにおいては、燃焼室出口における温度が、燃焼室設計用の基準として用いられる燃料を使用する場合の温度と同じになるように（すなわち設計温度、運転は燃焼室の設計出口温度で行われる）、ＦＧＲを制御することが可能である。
【００５３】
この場合には、発電プラントを、高いＣ２＋および／またはＨ２含有量（設計よりも高いＣ２＋および／またはＨ２含有量）を有する燃料によって、燃焼室出口における温度を低下させることなく運転することが可能である。従って、高いＣ２＋および／またはＨ２含有量を有する燃料を使用するので、出力および性能は低下しない。
【００５４】
代わりに、燃焼室出口における温度を、基準燃料による温度に対して高めることもできる。
【００５５】
この場合は、温度の上昇が反応性の増大を惹起するが、この反応性の増大は、燃料を収容する燃焼器の領域における（反応性を低下させる）酸素濃度の低下によって相殺される。酸素濃度の低下は、同様に、ＦＧＲの増加によって達成される。
【００５６】
発電プラントが、第１燃焼室３ａと、第１燃焼室からの煙道ガスが供給される第２燃焼室３ｂとを備えたガスタービンユニットを有する場合は、記述された制御は実質的に同じである。
【００５７】
特に、第１および第２燃焼室３ａ、３ｂに異なる燃料が供給される場合は、両方の燃料のＣ２＋および／またはＨ２含有量を監視して、逆火のリスクが大きい方の燃料に基づいて、（また、異なる燃焼室３ａ、３ｂの特徴にも関連して）ＦＧＲを制御しなければならない。
【００５８】
本発明はまた、発電プラントの運転方法にも関する。
【００５９】
本発明の方法は、再循環流１２の質量流量を、燃料２７（好ましくは天然ガス）のＣ２＋および／またはＨ２含有量に関連させてオンライン制御することを含む。
【００６０】
特に、燃料のＣ２＋および／またはＨ２含有量を連続的に（例えばクロマトグラフィーによって）オンライン測定し、それに対応して、再循環流１２の質量流量を連続的にオンライン制御する。
【００６１】
燃料のＣ２＋および／またはＨ２含有量が増加すると再循環流１２の質量流量を増加させ、燃料のＣ２＋および／またはＨ２含有量が低下すると再循環流１２の質量流量を低減することが有利である。
【００６２】
さらに、再循環流１２の質量流量と共に、燃焼室出口における温度をも制御することができる。例えば、燃料のＣ２＋および／またはＨ２含有量が変動すると、この温度を高めること、および／または一定に維持することができる。
【００６３】
ガスタービンが再熱ガスタービンである場合、すなわち、ガスタービンが、コンプレッサ２と、第１燃焼室３ａと、高圧タービン４ａと、第１タービン４ａからの煙道ガスであってなお酸素を含有する部分的に膨張した煙道ガスが送給される第２燃焼室３ｂと、低圧タービン４ｂとを有する場合には、再循環流１２の質量流量を、第２燃焼室３ｂに供給される燃料のＣ２＋および／またはＨ２含有量に関連させて制御することが望ましい。
【００６４】
さらに、火炎温度を制御、特に低下させなければならない場合は、第２燃焼室の火炎温度ではなく、第１燃焼室の火炎温度を低下させることが望ましい。これによって、出力の低下が低減される。
【００６５】
当然のことながら、以上述べた特徴は互いに独立に設けることができる。
【００６６】
使用材料および寸法に関しては、実際には、要件および技術の現状に応じて任意に選択することが可能である。
【符号の説明】
【００６７】
１  ガスタービンユニット
２  １のコンプレッサ
３、３ａ、３ｂ  １の燃焼室
４、４ａ、４ｂ  １のタービン
６  混合気体
７  外気
８  煙道ガス
９  １０の再熱ボイラ
１０  蒸気タービンユニット
１１  ダイバータ
１２  再循環流
１３  排出流れ
１４  冷却器
１５  ファン
１６  混合器
１９  冷却器
２０  ファン
２１  ＣＯ２捕捉ユニット
２２  大気への放出
２４  ＣＯ２貯蔵
２５  混合装置
２６  燃焼装置
２７  燃料
２８  発電機
３０  制御ユニット
３１  センサー
３３  ルックアップテーブル
ＦＣＣ  燃料のＣ２＋含有量
ＦＧＲ  煙道ガス再循環比
【図１】
0005999886.tif 000002
【図２】
0005999886.tif 000003
【図３】
0005999886.tif 000004
【図４】
0005999886.tif 000005
【図５】
0005999886.tif 000006